(57)【要約】      （修正有）【課題】頭部に装着することによって、衝撃緩和を図ることが可能な帽子を提供する。【解決手段】帽体１６の周縁部内側に腰枠２２が装着されている。腰枠は、弾性材料として低発砲ポリエチレンプレートからなるベースプレート層と、高密度マイクロセルポリマーシートからなる緩衝材シート層と、ベースプレート層及び緩衝材シートの間に配置される、ポリ塩化ビニルシートからなる中間シート層とで構成された多層構造を有する。ベースプレート層は、衝撃吸収機能を発揮すると共に、主として、帽子１０に装着された状態で腰枠の基本的な外形の維持に寄与する。又、緩衝材シート層は、主として、衝撃吸収を効率的に行う。更に、中間シート層は、主として、衝撃吸収性すなわち弾性の異なるベースプレート層と緩衝材シート層との、接着剤による結合を良好にするための、緩衝体として機能すると共に、衝撃吸収機能も発揮する。【選択図】図１
0003190829.tif 000002
【実用新案登録請求の範囲】
【請求項１】
帽体の周縁部内側に、緩衝材を含む多層構造の腰枠が装着されていることを特徴とする帽子。
【請求項２】
前記腰枠が、弾性材料からなるベースプレート層と、緩衝材シート層と、前記ベースプレート層及び前記緩衝材シートの間に配置される中間シート層とで構成されていることを特徴とする請求項１記載の帽子。
【請求項３】
前記ベースプレート層が低発砲ポリエチレンプレートで構成され、前記緩衝材シート層が高密度マイクロセルポリマーシートで構成され、前記中間シート層がポリ塩化ビニルシートで構成され、前記各層が貼着されていることを特徴とする請求項２記載の帽子。
【請求項４】
制帽であることを特徴とする請求項１から３のいずれか１項記載の帽子。
【考案の詳細な説明】
【技術分野】
【０００１】
本考案は、帽子に関するものである。
【背景技術】
【０００２】
従来から、飛来落下物や転倒等によって外壁又は床面等に頭部が衝突するような場合の、衝撃緩和を目的とした帽子が発案されている。一例として、帽子本体の内側に保護部材を着脱自在に嵌合した保護帽子であって、保護部材は、全体としてキャップ状であり、その内外の表面を生地によって覆われた所要厚さの衝撃吸収用の発泡樹脂エラストマーを芯材とすることを特徴とする保護帽子がある（例えば、特許文献１）。
【先行技術文献】
【特許文献】
【０００３】
【特許文献１】特開２００５−１６３３３８号公報
【考案の概要】
【考案が解決しようとする課題】
【０００４】
本考案においても、頭部に装着することによって、衝撃緩和を図ることが可能な帽子を提供することを目的とするものである。
【課題を解決するための手段】
【０００５】
（考案の態様）
以下の考案の態様は、本考案の態様を例示するものであり、本考案の多様な構成要素の理解を容易にするために、項分けして説明するものである。なお、以下の各項は、本考案の技術的範囲を限定するものではなく、本考案を実施する最良の形態を参酌しつつ、各項の構成要素の一部を置換し、削除し、又は、更に他の構成要素を付加した態様についても、本考案の一態様になり得るものである。
【０００６】
（１）帽体の周縁部内側に、緩衝材を含む多層構造の腰枠が装着されていることを特徴とする帽子（請求項１）。
本項に係る帽子は、帽体の周縁部内側に装着された腰枠が、緩衝材を含む多層構造を有することで、良好な衝撃吸収性を発揮する帽子を構成するものとなる。
【０００７】
（２）上記（１）項において、前記腰枠が、弾性材料からなるベースプレート層と、緩衝材シート層と、前記ベースプレート層及び前記緩衝材シートの間に配置される中間シート層とで構成されている帽子（請求項２）。
本項に係る帽子は、腰枠が、弾性材料からなるベースプレート層と、緩衝材シート層と、ベースプレート層及び緩衝材シートの間に配置される中間シート層とで構成された多層構造を有することで、良好な衝撃吸収性を発揮する帽子を構成するものとなる。ここで、腰枠のベースプレート層は、衝撃吸収機能を発揮すると共に、主として、帽子に装着された状態で腰枠の基本的な外形の維持に寄与するものである。又、緩衝材シート層は、主として、衝撃吸収を効率的に行うためのものである。更に、中間シート層は、主として、衝撃吸収性すなわち異なる弾性を有する、ベースプレート層と緩衝材シート層との結合を良好にするための、緩衝体として機能すると共に、衝撃吸収機能も発揮するものである。
【０００８】
（３）上記（２）項において、前記ベースプレート層が低発砲ポリエチレンプレートで構成され、前記緩衝材シート層が高密度マイクロセルポリマーシートで構成され、前記中間シート層がポリ塩化ビニールシートで構成され、前記各層が貼着されている帽子（請求項３）。
本項に係る帽子は、ベースプレート層が低発砲ポリエチレンプレートで構成されることで、衝撃吸収機能を発揮すると共に、主として、帽子に装着された状態で腰枠の基本的な外形の維持に寄与するものである。又、緩衝材シート層が高密度マイクロセルポリマーシートで構成されることで、主として、衝撃吸収を効率的に行うものとなる。更に、中間シート層がポリ塩化ビニールシート（ＰＶＣ）で構成され、各層が貼着されることで、中間シート層は、主として、衝撃吸収性すなわち弾性の異なるベースプレート層と緩衝材シート層との結合を良好にするための、緩衝体として機能すると共に、衝撃吸収機能も発揮するものとなる。なお、中間シート層として、ＰＶＣに代えて、不織布等、適宜他の素材を用いることも可能である。
【０００９】
（４）上記（１）〜（３）項において、制帽であることを特徴とする帽子（請求項４）。
本項に係る帽子は、制帽の帽体の周縁部に位置する腰の内側に、緩衝材を含む多層構造の腰枠が装着されていることで、上記の作用を発揮する制帽となるものである。
【考案の効果】
【００１０】
本考案は、以上のように構成したことにより、頭部に装着することによって、衝撃緩和を図ることが可能な帽子を提供することが可能となる。
【図面の簡単な説明】
【００１１】
【図１】本考案の実施の形態に係る帽子を示すものであり、（ａ）は斜視図、（ｂ）は内部構造を示す透視図、（ｃ）は裏面の斜視図である。
【図２】図１に示される帽子の、帽体の周縁部内側に装着されている、緩衝材を含む多層構造の腰枠を示すものであり、（ａ）は正面図、（ｂ）は（ａ）のＡ−Ａ線における拡大断面図であり、（ｃ）は腰枠２２の端部同士の結合構造を示す平面図である。
【図３】本考案の他の実施の形態に係る帽子を示すものであり、（ａ）は斜視図、（ｂ）は内部構造を示す透視図、（ｃ）は裏面の斜視図である。
【考案を実施するための形態】
【００１２】
以下、本考案を実施するための最良の形態を添付図面に基づいて説明する。
本考案の実施の形態に係る帽子１０は、図１に示されるような、主として男性用の制帽であり、天井１２とまち１４とを縫い合わせてなる帽体１６の下端周縁部に、腰布を環状に縫製した腰１８を有し、腰１８の前方にひさし２０が固定されて、制帽としての形態をなすものである。そして、帽体１６の周縁部内側、すなわち、腰１８の内側には、緩衝材を含む多層構造の腰枠２２が装着されている。
【００１３】
腰枠２２は、図２にも示されるように、弾性材料からなるベースプレート層２４と、緩衝材シート層２６と、ベースプレート層２４及び緩衝材シート２６の間に配置される中間シート層２８とで構成されている。ここで、ベースプレート層２４は低発砲ポリエチレンプレートで構成され、緩衝材シート層２６は高密度マイクロセルポリマーシートで構成され、中間シート層２８はＰＶＣで構成されている。そして、これら各層が貼着されて、一体の板状をなしている。上記各層の貼着には、本説明では接着剤が用いられるが、適切な別の貼着手段、貼着手法を用いることとしても良い。
【００１４】
なお、上述の各層の材質はあくまでも一例であり、必要な衝撃吸収性、耐久性、材料コスト等を適宜勘案しつつ、上記機能を発揮することが可能なものを、適切に選択して腰枠２２を構成するものである。又、図２（ｂ）に示される、ベースプレート層２４と、緩衝材シート層２６と、中間シート層２８との厚みの比率は、説明の便宜上のものであり、実際の厚みの比率についても、必要な衝撃吸収性、耐久性、材料コスト等を適宜勘案しつつ、上記機能を発揮するよう設定されるものである。
【００１５】
ここで、帽子１０の製作手順の一例を、以下に示す。なお、以下に説明する各工程は、適宜、順序を変更して行うことも可能である。
工程１：腰枠２２を製作するに当たり、まずは、ベースプレート層２４を構成する低発砲ポリエチレンプレートに、中間シート層２８を構成するＰＶＣを、接着剤により接着する。又、中間シート層２８に対し、緩衝材シート層２６を構成する高密度マイクロセルポリマーシートを、接着剤により接着する。
工程２：工程１で制作された三層構造の腰枠材を、図２（ａ）に示されるような、腰枠２２の形状に裁断する。図１、図２の例では、適切な位置に帽章取付孔２２ａ及び通気口２２ｂを、適切な位置に適切な形状で形成すると共に、下端である直線状の端辺２２ｃに対して、上端が、帽章取付孔２２ａを取り囲むように緩やかな山形の端辺２２ｄとなるよう裁断する。
工程３：腰枠２２を、図１（ｂ）に示されるように環状に湾曲させ、図２（ｃ）に示されるように、腰枠２２の端部同士を、適宜ジョイント２９で接いで、接着する。本例では、端部同士の接合にプラスチック製のＨ型部材（プラスチックＨ型鋼）が用いられ、接着には音波接着が用いられる。
工程４：、天井１２とまち１４とを縫い合わせて帽体１６を形成し、まち１４の内側正面部に、前立ばね（図示省略）をステープラー等を用いて取付ける。
工程５：更に、腰１８を縫製した帽体１６の腰布内部に、腰枠２２を挿入し、腰布下部を帽体１６の内側へと折り返して、ミシン付けをする。
工程６：腰枠１８の全面中央にひさし２０を取付けたすべり（図示省略）を縫い付ける。
工程７：帽体１６のまち１４の前面に、帽章（図示省略）を取付ける。
【００１６】
又、図３には、本考案の他の実施の形態に係る帽子１０’が示されている。この帽子１０’は女性用の制帽である。以下、図１、図２の例と同一部分、若しくは相当する部分については、同一符号を付して説明する。
帽子１０‘は、帽体１６の下端周縁部に、腰布を環状に縫製した腰１８を有し、腰１８の前方にひさし２０が固定されている点は、図１に示される帽子１０と同様である。又、腰枠が、ベースプレート層２４、緩衝材シート層２６及び中間シート層２８で構成されている点は同様である。帽体１６の周縁部内側、すなわち、腰１８の内側には、緩衝材を含む多層構造の腰枠２２が装着されている点も同様である。しかしなら、全体形状の相違に起因する構造上の相違の他、腰枠２２に、帽章取付孔２２ａ（図２参照）が無く、よって、山形の端辺２２ｄは、より一層なだらかな山形状を呈している。
【００１７】
以下に、図３に示される帽子１０’の製作手順の一例を示す。なお、以下に説明する各工程は、適宜、順序を変更して行うことも可能である。
工程１：帽子１０の工程１と同様である。
工程２：帽子１０の工程２と同様である。
工程３：帽体１６の腰枠２２を、図３（ｂ）に示されるように環状に湾曲させ、下部をミシン縫いすることにより、円形状（環状）にする。
工程４：更に、帽体１６の内部に腰枠２２を挿入し、腰１８に対して腰枠２２を縫着（ミシン付け）する。
工程５：縫製した裏地裁断１７を、帽体１６の内側に入れ、裾をバイアステープその他の固定用テープで、へり取り状に巻く。
工程６：腰枠１８の全面中央にひさし２０を取付ける。
工程７：帽体１６の内側にすべり（図示省略）を縫い付ける。
工程８：腰１８に帯章２１を付ける。
【００１８】
上記構成をなす本考案の実施の形態によれば、次のような作用効果を得ることが可能である。
すなわち、本考案の実施の形態に係る帽子１０、１０’は、図１、図３に示される制帽として構成され、帽体１６の周縁部内側に装着された腰枠２２が、緩衝材を含む多層構造を有することで、良好な衝撃吸収性を発揮する帽子を構成することが可能となる。
又、図２に示されるように、腰枠２２が、弾性材料として低発砲ポリエチレンプレートからなるベースプレート層２４と、高密度マイクロセルポリマーシートからなる緩衝材シート層２６と、ベースプレート層２４及び緩衝材シート２６の間に配置される、ＰＶＣからなる中間シート層２８とで構成された多層構造を有することで、上述のごとき良好な衝撃吸収性を発揮する帽子を構成すことが可能となる。そして、腰枠２２のベースプレート層２４は、衝撃吸収機能を発揮すると共に、主として、帽子１０、１０’に装着された状態で腰枠２２の基本的な外形（外力を受けていない状態での外形）の維持に寄与するものとなる。又、緩衝材シート層２６は、主として、衝撃吸収を効率的に行うためのものとなる。更に、中間シート層２８は、主として、衝撃吸収性すなわち弾性の異なるベースプレート層２４と緩衝材シート層２６との、接着剤による結合を良好にするための、緩衝体として機能すると共に、衝撃吸収機能も発揮するものとなる。
【符号の説明】
【００１９】
１０、１０‘：帽子、  １２：天井、  １６：帽体、  １８：腰、  ２２：腰枠、  ２４：ベースプレート層、  ２６：緩衝材シート層、  ２８：中間シート層
【図１】
0003190829.tif 000003
【図２】
0003190829.tif 000004
【図３】
0003190829.tif 000005